(57)【要約】  本発明は、少なくとも１つのシェル（Ｓ）、少なくとも１つのカバーシートまたはカバー（Ｃ）、及び少なくとも１つの追加ゲルパッド要素（Ｇ）を含む、シート（例えば、自転車用サドル）を作るためのプロセスであり、当該少なくとも１つの追加ゲルパッド要素（Ｇ）は、極小孔もしくは孔または織布が設けられた材料の少なくとも１つの中間接着シート（Ａ）に接着し、さらに、中間接着シート（Ａ）は当該少なくとも１つのカバー（Ｃ）の表面（Ｃ１）に接着する。本発明の特許は、また、当該プロセスを実施するように適合される機器に関する。【選択図】図５
2021510351.tif 000002
【特許請求の範囲】
【請求項１】
少なくとも１つのシェル（Ｓ）、少なくとも１つのカバーシートまたはシート（Ｃ）、及びゲルから作られた少なくとも１つの追加ゲルパッド要素（Ｇ）を含むシートを作るためのプロセスであって、
少なくとも１つのカバーシートまたはカバー（Ｃ）を加工するステップと、
極小孔または織布が設けられた材料から作られた少なくとも１つの中間の接着シート（Ａ）のサイズに合わせて切るステップと、
少なくとも１つの前記追加ゲルパッド要素（Ｇ）を作る必要がある位置で、安定した様式で少なくとも１つの前記接着シート（Ａ）を前記カバー（Ｃ）の表面（Ｃ１）上に付けるステップと、
前記カバー（Ｃ）を、前記カバー（Ｃ）上に付けられた前記接着シート（Ａ）と一緒に、少なくとも１つの前記追加ゲルパッド要素（Ｇ）を作成するために少なくとも１つの凹部（Ｍ１１）が設けられるように成形された第１の金型（Ｍｌ）に位置付けるステップと、
所与の量のゲルを少なくとも１つの前記接着シート（Ａ）上に鋳造するステップであって、前記ゲルは、既定の形状及びサイズを有する少なくとも１つの前記追加ゲルパッド要素（Ｇ）を形成するように、少なくとも１つの前記接着シート（Ａ）の前記織布内に存在する前記極小孔または孔の中を貫通し、前記追加ゲルパッド要素（Ｇ）は少なくとも１つの前記接着シート（Ａ）に接着したままである、ステップと、
を含むことを特徴とする、プロセス。
【請求項２】
前記プロセスは、また、
少なくとも１つの前記カバー（Ｃ）を、少なくとも１つの前記接着シート（Ａ）及び少なくとも１つの前記追加ゲルパッド要素（Ｇ）と一緒に、前記第１の金型（Ｍｌ）から取り外し、少なくとも１つの前記カバー（Ｃ）を、便利に成形された第２の金型（Ｍ２）の内側に位置付けるステップと、
少なくとも１つの前記シェル（Ｓ）を前記第２の金型（Ｍ２）の内側に位置付けるステップであって、少なくとも１つの前記カバー（Ｃ）と少なくとも１つの前記シェル（Ｓ）との間の少なくとも１つの主要パッド要素（Ｐ）を形成する前記材料の鋳造及び連続膨張は、前記第２の金型（Ｍ２）で実行され、そのとき、少なくとも１つの前記追加ゲルパッド要素（Ｇ）が少なくとも１つの前記主要パッド要素（Ｐ）と少なくとも１つの前記カバー（Ｃ）との間に介在するようになる、ステップと、
を含むことを特徴とする、請求項１に記載のプロセス。
【請求項３】
少なくとも１つのシェル（Ｓ）、少なくとも１つのカバーシートまたはカバー（Ｃ）、及び少なくとも１つの追加ゲルパッド要素（Ｇ）を含むシートであって、少なくとも１つの前記追加ゲルパッド要素（Ｇ）は、極小孔もしくは孔または織布が設けられた材料から作られた少なくとも１つの中間の接着シート（Ａ）に接着し、さらに、中間の前記接着シート（Ａ）は、少なくとも１つの前記カバー（Ｃ）の表面（Ｃ１）に接着する、シート。
【請求項４】
少なくとも１つの中間の前記接着シート（Ａ）は、少なくとも１つの中間の前記接着シート（Ａ）上に付けられた少なくとも１つの前記追加ゲルパッド要素（Ｇ）と一緒に、前記シェル（Ｓ）に向かって対面する少なくとも１つの前記カバー（Ｃ）の前記表面（Ｃ１）に接着することを特徴とする、請求項３に記載のシート。
【請求項５】
少なくとも１つの前記接着シート（Ａ）の形状及びサイズは、生産される少なくとも１つの前記追加ゲルパッド要素（Ｇ）の形状及びサイズに実質的に一致することを特徴とする、請求項３または４に記載のシート。
【請求項６】
前記シートは、また、少なくとも１つの前記シェル（Ｓ）と少なくとも１つの前記カバー（Ｃ）との間に配置される発泡材料に少なくとも１つの主要パッド要素（Ｐ）を含むことを特徴とする、請求項３〜５のいずれか一項に記載のシート。
【請求項７】
前記シートは自転車用サドルであることを特徴とする、請求項３〜６のいずれか一項に記載のシート。
【請求項８】
請求項１〜７の１項以上に記載のシートを作るための前記プロセスを実施するための機器であって、前記機器は少なくとも１つの第１の金型（Ｍ１）を備え、さらに、前記第１の金型（Ｍ１）は、
少なくとも１つの凹部（Ｍ１１）が設けられ、少なくとも１つの前記カバー（Ｃ）に付けられた少なくとも１つの接着シート（Ａ）と逆に位置付けられた、少なくとも１つの前記カバー（Ｃ）を収容するように適合される雌型ダイ（Ｍ１０）と、
前記カバー（Ｃ）に付けられた少なくとも１つの前記接着シート（Ａ）と一緒に、前記カバー（Ｃ）を前記雌型ダイ（Ｍ１０）の壁に接着させるために、前記雌型ダイ（Ｍ１０）の内側から空気を吸い込むように適合される吸引システムと、
前記カバー（Ｃ）を定位置に保持するために、前記雌型ダイ（Ｍ１０）上で位置付けられる少なくとも１つのロックプレート（Ｍ１２）と、
少なくとも１つの追加ゲルパッド要素（Ｇ）を取得するために、前記ゲルを少なくとも１つの前記凹部（Ｍ１１）に注ぐための手段と、
を備えることを特徴とする、機器。
【請求項９】
前記機器は、また、少なくとも１つの第２の金型（Ｍ２）を備え、前記第２の金型（Ｍ２）は、さらに、
少なくとも１つの凹部（Ｍ２１）が設けられ、少なくとも１つの接着シート（Ａ）及び前記接着シートに付けられた少なくとも１つの追加ゲルパッド要素（Ｇ）と逆に位置付けられた、少なくとも１つの前記カバー（Ｃ）を収容するように適合される雌型ハーフダイ（Ｍ２０）と、
前記カバー（Ｃ）を、少なくとも１つの前記接着シート（Ａ）及び少なくとも１つの前記接着シート（Ａ）に付けられた少なくとも１つの前記追加ゲルパッド要素（Ｇ）と一緒に、前記雌型ハーフダイ（Ｍ２０）の壁に作るために、前記雌型ハーフダイ（Ｍ２０）の内側から空気を吸い込むように適合される吸引システムと、
シェル（Ｓ）を搬送するように構成される雄型ダイ（Ｍ２２）であって、これにより、前記第２の金型（Ｍ２）が閉鎖されるとき、前記シェル（Ｓ）と前記カバー（Ｃ）との間で、前記追加ゲルパッド要素（Ｇ）が前記カバー（Ｃ）に付けられ、前記シートの前記主要パッド要素（Ｐ）を生産するために前記第２の金型（Ｍ２）の中に注入されるまたは注がれるポリウレタン材料を膨張させるのに適切である空間が画定される、雄型ダイ（Ｍ２２）と、
を備えることを特徴とする、請求項８に記載の機器。
【請求項１０】
前記機器は、複数の前記第２の金型（Ｍ２）を収容するように適合される旋回構造または回転構造を含み、前記旋回構造または前記回転構造の回転中、前記第２の金型（Ｍ２）のそれぞれを異なる連続工程にさせ、前記連続工程のそれぞれ１つでは、単一の処理ステップを行い、すなわち、少なくとも１つの前記カバー（Ｃ）を少なくとも１つの前記接着シート（Ａ）及び少なくとも１つの前記接着シート（Ａ）に付けられた少なくとも１つの前記追加ゲルパッド要素（Ｇ）と一緒に置き及び位置付け、前記ポリウレタン材料を導入し、前記シェル（Ｓ）を位置付け、前記第２の金型（Ｍ２）を閉鎖し、前記ポリウレタン材料を膨張させ、前記シートを成型することを特徴とする、請求項９に記載の機器。
【発明の詳細な説明】
【技術分野】
【０００１】
本発明の特許は、シートと、シートを作るための手順とに関し、具体的には、追加ゲルパッドを伴うシートを実現するための新しいプロセスと、取得された結果として生じるシートとに関する。具体的には、新しい手順は、自転車用サドルの生産に適用可能である。
【０００２】
本発明の特許は、また、取得された新しいシートまたはサドルと、プロセスを実施する機器とに関する。
【背景技術】
【０００３】
先行技術のシートは、一般的に皮またはプラスチック材料または布の柔軟層から成る、カバーが付けられたプラスチック材料から作られた実質的に剛性シェルから成り、正常に、シートの種類に従って、可変の材料、堅さ、及び厚さから作られた、シェルとカバーとの間にパッドがある。
【０００４】
例えば、このパッドまたは主要パッドは、膨張したポリウレタンフォームから作られ得る。
【０００５】
先行技術は、また、追加ゲルパッド（通常、ポリウレタン）も装備されるシートを備える。
【０００６】
追加上側ゲルパッドを伴うシートまたはサドルを作るプロセスは、皮カバーまたはプラスチックカバーを雌式金型の逆の位置に設置することと、パッドの反転形状を複製することと、次に金型自体に接着する金型とカバーとの間の空気を抽出することと、多量のゲル化合物を、金型の内側のカバー上の液体中または半流動体状態に設置することと、その部分凝固を待機することと、膨張されるポリウレタン材料を注入または鋳造することと、シートのシェルが下側から付けられる上側雄式金型を閉鎖することと、最後に、ポリウレタン材料を膨張させ、シートの主要パッドを作成することと、を含む。
【０００７】
現在、シートは、複数の雄型及び雌型の金型が一般的な円構造及び回転構造の外周上に付けられる特殊機器によって生産される。この円構造または旋回構造の回転により、各金型を異なる連続工程にさせ、その工程のそれぞれでは、単一のプロセスでは、例えば、カバーの設置、ゲル化合物の挿入、ポリウレタンフォームの挿入、閉鎖等が行われる。
【０００８】
追加パッドを伴うシートを生産するこのプロセスは、一連の欠点及び制限を提示する。
【０００９】
追加ゲルパッドは、金型の底面（すなわち、シートの上部）だけに設置できるが、そのゲルパッドをシートの異なる点（例えば、側面または前面）に設置することが可能ではない。この理由として、ゲル充填部が流体状態であり、ひいては、セルフレベリングになっているため、ゲル化合物は金型の底面に摺動するためである。
【００１０】
ゲル化合物を雌式金型内に鋳造させた後、ポリウレタンフォームを導入し、それを膨張させる前に、ゲルが少なくとも部分的にセットされるのに適切な期間を待機する必要がある。これは、シートを構造化するために旋回装置及び全ての動作を遅らせることを伴い、または、代わりに、大型の旋回装置を必要とし、及び／またはゲルが付けられる位置と、ポリウレタンフォームが回転構造の円周上に付けられる位置との間の距離が長くなる。
【００１１】
いずれの場合、ゲルの部分的または完全な乾燥に必要な時間は、全てのシートの生産時間を遅らせる。
【００１２】
先行技術は、またゲルをシートの垂直側に、縁上に、及び前端上に位置付けることを可能にする方法を含む。本方法に従って、ゲルは、均一の厚さまたは異なる厚さのいずれかを伴い、所望の点だけにおいて（例えば、垂直側縁上で、中心で）、事前に拡張したカバー上に直接に設置及び硬化される。
【００１３】
ゲルの部分的または完全なセッティングに続いて、ゲルパッドが装備されるカバーは、膨張したポリウレタンフォームパッドを成型するために、シェルを伴う金型内に位置付けられる。
【００１４】
具体的には、金型は、例えば、カバーを凹面に接着させる吸引システムに接続される多数の孔を伴う凹面が装備され、事前にカバー上に導入されたポリウレタンフォームの膨張は、カバーとシェルとの間で行われる。
【００１５】
ゲルは、また、シートの下縁まで設置できることが都合よく、したがって、坐骨の支持だけではなく、足を移動させる内部部分との接触平面も提供する。
【００１６】
この手順は、同じ出願者によるイタリア国特許発明第１３３５４４７号明細書の主題である。
【先行技術文献】
【特許文献】
【００１７】
【特許文献１】イタリア国特許発明第１３３５４４７号明細書
【発明の概要】
【発明が解決しようとする課題】
【００１８】
本発明は、シートを生産するための新しいプロセスに関し、具体的には、先行技術に関する特定の利点を達成する、取得された追加ゲルパッド及びシートを伴う自転車用サドルに関する。
【００１９】
新しい手順の主要目的は、経時的に、またシートの使用中に、不変のままである形状及び位置を有する１つ以上の追加ゲルパッドを作成することである。
【００２０】
本発明の別の目的は、カバーの内面上に、すなわち、シェルに対面する予定である側面に成形され及び位置付けられる１つ以上の追加ゲルパッドを有するシートを提供することである。
【課題を解決するための手段】
【００２１】
したがって、新しいプロセスに従って生産されたシートは、１つ以上の追加ゲルパッドが設けられ、１つ以上の追加パッドは使用中でさえもその元の形状及び位置を維持する。
【００２２】
このシートが自転車用サドルである特定の場合、新しい手順は、ゲルパッドをシートの下側縁まで設置することを可能にし、シェルの側縁に実質的に一致し、パッドは使用中でさえも正しく位置付けられ、これにより、ユーザの足の内側部分は表面パッドと接触したままである。
【００２３】
新しい手順は、基本的に、以下の
例えば、皮もしくは布またはポリマー材料の軟質シートを備える少なくとも１つのカバーシートまたはカバーを加工するステップと、
１つ以上の中間接着シートのサイズに合わせて切るステップであって、接着シートは、作られる１つ以上の追加ゲルパッドの形状及び寸法に一致することが好ましい形状及びサイズを有し、シートは極小孔または織布を伴う材料から作られる、ステップと、
１つ以上の接着シートを少なくとも１つのカバーの内側表面（すなわち、シートの内側に対面することが意図される表面）に付け及び接合するステップであって、接着シートは、１つ以上の追加パッドを作成する必要がある位置においてカバー上に付けられる、ステップと、
１つ以上の追加パッドを実現するために１つ以上の凹面によって成形された第１の金型に付けられた接着シートが伴う少なくとも１つのカバーを位置付けるステップと、
ゲルを中間接着シート上に鋳造するステップであって、ゲルは接着シートの横糸の極小孔または孔の中を貫通し、追加パッドを形成するステップと、
を含む。
【００２４】
したがって、当該１つ以上のゲルパッドは接着シートと一体であり、ひいては、カバーと一体である。
【００２５】
先行技術の既知プロセスと同様に、１つ以上の接着シート及び付けられた追加パッドを伴う少なくとも１つのカバーは、次に、シェルを伴う第２の金型の内側に位置付けられることができ、次に、第２の金型では、ポリマー材料の注入または鋳造を行い、少なくとも１つのカバーと少なくとも１つのシェルとの間に主要のパッド後続の膨張が起こり、これにより、１つ以上の追加パッドは、当該主要パッドと当該カバーとの間に介在する。
【００２６】
したがって、取得された新しいシートまたはサドルは、少なくとも１つのシェル、少なくとも１つのカバーシートまたはカバー、当該シェルと当該カバーとの間に少なくとも１つの主要発泡体パッド、少なくとも１つの追加ゲルパッドを備え、当該少なくとも１つの追加パッドは、シートの内側に対面する当該カバーの表面にさらに一体的に付けられた少なくとも１つの中間接着シートと一体である。
【００２７】
当該接着シートは、ゲルの接着を確実にし、不要なシフトを防止する。カバー上に付けられた当該中間接着シートは、さらに、いったんシートが組み立てられるとき、またそのシートの使用中に、ゲルが当該カバーに対しても安定して位置付けられたままであることを確実にする。
【００２８】
本発明の特許は、また、新しいプロセスを実行する装置に関し、当該装置は、１つ以上の追加ゲルパッドを形成する第１の金型と、主要パッドの最後の膨張ステップ及びカバーをシェル上に接合するための第２の金型とを備える。
【００２９】
一実施形態では、本装置は、複数の第２の金型を支持し、回転することによって各金型を異なる連続工程にさせる旋回構造または回転構造を含み、連続工程のそれぞれでは、単一のプロセスを行い、すなわち、接着シート及び追加パッドを伴うカバーを設置及び位置付けし、ポリウレタンフォームを挿入し、シェルを位置付け、金型を閉鎖し、発泡体を膨張し、シートを形成する。
【００３０】
代替として、当該装置は、固定構造上に搭載される当該複数の第２の金型を備える。
【００３１】
新しいプロセス及び新しい手順によって生産されたシートの特徴は、非限定例として含まれる、図面を参照する以下の説明によって良好に説明される。
【図面の簡単な説明】
【００３２】
【図１】シート製造プロセスの第１の部分を示す。
【図２】第１の金型（Ｍ１）のゲルから作られた２つの追加パッド要素（Ｇ）の製造ステップを示す。
【図３】２つの鏡面的接着シート（Ａ）及び２つの追加ゲルパッド要素（Ｇ）が当該接着シート（Ａ）上に付けられ、一致する形状を伴い、また相互に鏡面的である、自転車用サドルを作るためのカバー（Ｃ）の可能性がある実施形態を示す。
【図４】図３のカバーが、接着シート（Ａ）及び接着シート（Ａ）に付けられた追加パッド要素（Ｇ）とともに、第２の金型（Ｍ２）に設置される、プロセスの第２の部分の図を示す。
【図５】ポリマー材料（Ｐ）がシートの最終金型に膨張する閉鎖された第２の金型（Ｍ２）の図を示す。
【発明を実施するための形態】
【００３３】
新しいシートは、例えば、極小孔または織布を伴う材料から作られた１つ以上の中間接着シート（Ａ）のサイズに合わせて切ることによって取得される。
【００３４】
当該接着シート（Ａ）は、さらに、サイズに合わせて事前に切られた少なくとも１つのカバーシートまたはカバー（Ｃ）の表面（Ｃ１）上に付けられ、いずれかの場合、接合され、例えば、のり付けされる。当該接着シート（Ａ）は、例えば、取得されたシートの両側に対称的に配置されるように、図３にあるような所定位置で付けられる。
【００３５】
図１及び図２は、雌型ハーフダイ（Ｍ１０）及びロックプレート（Ｍ１２）から成る第１の実施形態に従った第１の金型（Ｍ１）を示す。
【００３６】
下記に説明及び主張されるように、当該雌型ハーフダイ（Ｍ１０）は、シート内に作成される追加パッド要素（Ｇ）に実質的にそれぞれ一致する１つ以上の凹部（Ｍ１１）を有する。
【００３７】
接着シート（Ａ）を伴う当該カバー（Ｃ）は、可能であるセンタリング手段を使用することによって、雌型ハーフダイ（Ｍ１０）上に上下逆に設置される。
【００３８】
当該雌型ハーフダイ（Ｍ１０）は、また、雌型ハーフダイ（Ｍ１０）自体の内側から空気取り入れシステムに接続されるダクト（Ｍ１３）を備える。
【００３９】
当該前述の吸引システムによって、空気は当該ダクト（Ｍ１３）によって吸い込まれ、これにより、カバー（Ｃ）は当該雌型ハーフダイ（Ｍ１０）の壁及び当該１つ以上の凹部（Ｍ１１）に接着する。
【００４０】
次に、当該ロックプレート（Ｍ１２）は、１つ以上の追加ゲルパッド要素（Ｇ）を作るために、当該１つ以上の凹部（Ｍ１１）の中への後続のゲルの注入中または鋳造中にさらに、カバー（Ｃ）を維持するために当該雌型ハーフダイ（Ｍ１０）上に位置付けられる。
【００４１】
具体的には、当該接着シート（Ａ）のそれぞれの上に、ある量のゲルは、鋳造され、少なくとも部分的にセットされ、接着シート（Ａ）の極小孔または横糸を貫通し、さらに所定の形状及びサイズを有する一致する接着シート（Ａ）に一体的に拘束される既定の形状及びサイズの追加パッド要素（Ｇ）を作成する。
【００４２】
そのプロセスのこれらの最初のステップから、一定の期間後に、ゲルが適切にセットされるとき、カバー（Ｃ）は図３に示されるように取得され、当該接着シート（Ａ）は付けられた当該追加パッド要素（Ｇ）に一体的に接合される。
【００４３】
新しいプロセスは、さらに、当該接着シート（Ａ）及び付けられた当該追加パッド要素（Ｇ）と一緒に、当該カバー（Ｃ）の位置付けを提供するステップを含み、第２の金型（Ｍ２）では、さらに、２つのハーフダイ（Ｍ２０，Ｍ２２）（雌型ハーフダイ（Ｍ２０）及び雄型ハーフダイ（Ｍ２２））から成る。
【００４４】
当該雌型ハーフダイ（Ｍ２０）は、１つ以上の凹部（Ｍ２１）と、空気取り入れシステムに接続されるダクト（Ｍ２３）とを有する。当該雌型ハーフダイ（Ｍ２０）は、上下逆に当該カバー（Ｃ）を収容するように適合され、これにより、当該接着シート（Ａ）及び当該追加パッド要素（Ｇ）は金型（Ｍ２）の内側に対面する。
【００４５】
当該前述の吸引システムによって、空気は当該ダクト（Ｍ２３）によって吸い込まれ、これにより、当該カバー（Ｃ）は当該雌型ハーフダイ（Ｍ２０）の壁に接着する。
【００４６】
当該雄型ハーフダイ（Ｍ２２）は、シェル（Ｓ）を保持するように構成され、これにより、図４に示されるように、第２の金型（Ｍ２）が閉鎖されるとき、空間は、当該シェル（Ｓ）と、付けられた当該追加パッド要素（Ｇ）を伴う当該カバー（Ｃ）との間のシートの主要パッド（Ｐ）に使用されるポリウレタン材料を膨張するために生じる。
【００４７】
したがって、取得されたシートは、少なくとも１つのシェル（Ｓ）、少なくとも１つのカバーシートまたはカバー（Ｃ）、及び少なくとも１つの追加ゲルパッド要素（Ｇ）を含み、当該少なくとも１つの追加ゲルパッド要素（Ｇ）は、少なくとも１つの中間接着シート（Ａ）に接合し、さらに、中間接着シート（Ａ）は、少なくとも１つのカバー（Ｃ）の表面（Ｃ１）に接合する。
【００４８】
具体的には、付けられた少なくとも１つの追加ゲルパッド要素（Ｇ）を伴う当該接着シート（Ａ）は、シェル（Ｓ）に向かって対面する当該少なくとも１つのカバー（Ｃ）の表面（Ｃ１）に接合する。
【００４９】
新しいシートは、また、当該少なくとも１つのシェル（Ｓ）と当該少なくとも１つのカバー（Ｃ）との間に位置するポリウレタン材料から作られた少なくとも１つの主要パッド（Ｐ）を備える。当該シートは、自転車用サドルになるように適切に設計されている。
【００５０】
上記に説明した手順を実行する機器は、１つ以上の追加ゲルパッド要素（Ｇ）を作るために使用される、ゲルを金型（Ｍ１）自体の凹部（Ｍ１１）に鋳造するための手段を伴う第１の金型（Ｍ１）と、主要パッド（Ｐ）のポリウレタンフォーム膨張及びシェル（Ｓ）上のカバー（Ｃ）の接合の最終段階のための第２の金型（Ｍ２）とを備える。
【００５１】
１つの可能性がある実施形態では、機器は、当該複数の第２の金型（Ｍ２）を支持する旋回構造または回転構造（図示しない）を含み、その構造の回転により、第２の金型（Ｍ２）のそれぞれを異なる処理工程または処理ステップに移行させ、単一のプロセスを実行し、すなわち、接着シート（Ａ）及び接着シート（Ａ）に付けられた追加パッド要素（Ｇ）と一緒に当該カバー（Ｃ）を設置し、当該カバー（Ｃ）の位置付けを補正し、ポリウレタン材料を導入し、シェル（Ｓ）を位置付け、当該第２の金型（Ｍ２）を閉鎖し、ポリウレタン材料を膨張させ、シートの最終成型を行う。
【００５２】
代替として、第２の金型は、移動可能構造（ただし、固定構造、例えば、作業台）の上に搭載され得ない。
【００５３】
上記の機器は、さらに、当該第１の金型（Ｍ１）の内側から空気を吸い込むための少なくとも１つの第１のシステムを備え、ゲルを鋳造する前に付けられた当該１つ以上の接着シート（Ａ）を伴うカバー（Ｃ）の位置付けの補正を確実にする。
【００５４】
さらなる吸引システムは、当該第２の金型（Ｍ２）の内側から空気を吸引するために、当該第２の金型（Ｍ２）の１つ以上に接続され、膨張されるポリウレタン材料を鋳造する前に、当該接着シート（Ａ）上に付けられた当該追加パッド要素（Ｇ）と一緒に、当該カバー（Ｃ）の位置付けの補正を確実にする。
【００５５】
本明細書は、専門家が、結果として、革新的概念の内容に対する先入観がない変形形態があり得る実用的適用で本発明を作るのに十分である。
【００５６】
したがって、前述の説明及び添付図を参照して、以下の請求項が作られている。
【図１】
2021510351.tif 000003
【図２】
2021510351.tif 000004
【図３】
2021510351.tif 000005
【図４】
2021510351.tif 000006
【図５】
2021510351.tif 000007
【国際調査報告】
2021510351.tif 000008
2021510351.tif 000009
2021510351.tif 000010